(57)【要約】【課題】自然環境に優しく、懐にも優しいエコロジカル車検整備システム及び方法の提供。【解決手段】知り得た顧客の情報に基づき、事業所側のＰＣにより顧客の車に関する必要最小限の情報を入力する事により、既に入力済みの１００％化学合成によるオイルの内の最適なオイルが自動的に選択され、そしてそのオイルと永久磁石を使用したオイルエレメント選択との組合せの使用により、今回のエコロジカル車検整備費用の算出と、次回エコロジカル車検整備費用の算出と、比較対象となる通常車検整備費用の表示と、そしてエコロジカル車検整備システムによる今回の車検と次回の車検の間の期間のガソリン及びオイル交換費用の通常車検整備に比べた節約分と、ＣＯ２排出の削減量が見積もられ、ディスプレー上に表示可能な様にされた事を特徴とするエコロジカル車検整備システム、及びそのシステムをパッケージソフトウェアにし譲渡可能にしたビジネス方法。【選択図】図２
2011192249.tif 000002
【特許請求の範囲】
【請求項１】
知り得た顧客の情報に基づき、事業所側のＰＣにより顧客の車に関する必要最小限の情報、即ち、氏名又は名称、車種・年式、車両重量、車検整備の期日、年間走行距離数、燃費又は年間ガソリン消費量を入力し、そして、既に入力済みの１００％化学合成によるオイルの内の最適なオイル選択と、永久磁石を使用したオイルエレメント選択との組合せの使用により、今回のエコロジカル車検整備費用の算出と、次回エコロジカル車検整備費用の算出と、そしてその間の期間のガソリン代又は消費量及びオイル交換費用の通常車検整備に比べた節約分と、ＣＯ２排出の削減量が見積もられ、ディスプレー上に表示され印刷可能な様にされた事を特徴とするエコロジカル車検整備システム。
【請求項２】
知り得た顧客の情報に基づき、事業所側のＰＣにより顧客の車に関する必要最小限の情報、即ち、氏名又は名称、車種・年式、車両重量、車検整備の期日、年間走行距離数、燃費又は年間ガソリン消費量を入力する事により、既に入力済みの１００％化学合成によるオイルの内の最適なオイルが自動的に選択され、そしてそのオイルと永久磁石を使用したオイルエレメント選択との組合せの使用により、今回のエコロジカル車検整備費用の算出と、次回エコロジカル車検整備費用の算出と、比較対象となる通常車検整備費用の表示と、そしてエコロジカル車検整備システムによる今回の車検と次回の車検の間の期間のガソリン代又は消費量及びオイル交換費用の通常車検整備に比べた節約分と、ＣＯ２排出の削減量が見積もられ、ディスプレー上に表示され印刷可能な様にされた事を特徴とするエコロジカル車検整備システム。
【請求項３】
インターネット等の事業所側のホームページの画面に、顧客側のＰＣにより、車検したい車の必要最小限の情報、即ち、車種・年式、車両重量、車検整備の期日、年間走行距離数、燃費又は年間ガソリン消費量を入力する事により、最適な１００％化学合成のオイルが選ばれ、そして永久磁石を使用したオイルエレメント選択との組合せ使用により、今回のエコロジカル車検整備費用の算出と、次回エコロジカル車検整備費用の算出と、比較対象となる通常車検整備費用の表示と、そしてエコロジカル車検整備システムによる今回の車検と次回の車検の間の期間のガソリン代又は消費量及びオイル交換費用の通常車検整備に比べた節約分と、ＣＯ２排出の削減量が見積もられ、ディスプレー上に表示され印刷可能な様にされた事を特徴とするエコロジカル車検整備システム。
【請求項４】
前記請求項３記載のエコロジカル車検整備システムに於いて、見積もられた結果に基づいてエコロジカル車検整備を申し込むか、又は、通常の車検整備を申込むか、或いは両方とも申し込まない選択が出来、申し込む場合はそのまま氏名、住所等の個人情報を入力、事業所側に送付可能な様にされた事を特徴とするエコロジカル車検整備システム。
【請求項５】
前記請求項１〜３項に記載のエコロジカル車検整備システムの内の少なくとも一つをパッケージソフトウェアとし、国内を各地域毎に分割し、その各々の地域に代理店を設け、前記パッケージソフトウェアを譲渡可能とし、各地域毎に販売店を募集する事によりフランチャイズ展開し、エコロジカル車検整備システムを全国に展開して行く事を特徴とするビジネス方法。
【発明の詳細な説明】
【技術分野】
【０００１】本発明は、エコロジカル車検整備システム、即ち環境保護に配慮する車検整備システムに関し、そして、そのビジネスの展開方法に関する。
【背景技術】
【０００２】  従来、自動車の車検整備に於いては、車検整備事業者にそのまま何も聞かずに任せてしまい、後でトラブルになる場合が非常に多かった。そこで最近、例えば、特開２００５−１９００４９（特許文献１）の様に、顧客に検査結果や、必要な修理および修理金額を呈示するシステムが提案されてきている。そして、又、近年車を取り巻く環境は非常に厳しくなり、我が国に於いても炭酸ガスの排出量の削減を国際的にも公表し、そして、その一環としてエコカー、即ち、ハイブリッド車や電気自動車への買い替えを奨励する政策まで施されるようになってきた。【０００３】
【特許文献１】特開２００５−１９００４９
【発明の開示】
【発明が解決しようとする課題】
【０００４】  上記特開２００５−１９００４９の様に、検査結果や、必要な修理及び修理金額を提示するだけでは、ハイブリッド車や電気自動車ではないガソリン車ディーゼル車は相も変わらず、自然環境に優しくない多くのＣＯ２の排出している。そして、車検整備の際に自然環境に易しいＣＯ２の排出を少なくする提案は過去になかった。そして、車のユーザーは、環境に悪影響を流しながら運転していると言う、自責の念に駆られながら運転しなければならず、車の買い替えの強迫観念を抱く事になる。しかしながら、従来のガソリン車、ディーゼル車を使用している人の割合はまだまだ比較にならないほど多く、それを全部ハイブリッドカーや電気自動車に切り替えることは不可能で、又、全部いっぺんに切り替えることは逆に無駄なエネルギーや、資源を非常に多く無駄にしなければならない事になる。
【課題を解決するための手段】
【０００５】  そこで本発明に於いては、車検整備の機会を利用して、車のユーザー（顧客、又は消費者）に、今使用している車をハイブリッド車や電気自動車に変える事無く、且つ自然環境に優しい車として使用する為に、先ず、顧客が事業所に来られた場合、第一に、知り得た顧客の情報に基づき、事業所側のＰＣにより顧客の車に関する必要最小限の情報、即ち、氏名又は名称、車種・年式、車両重量、車検整備の期日、年間走行距離数、燃費又は年間ガソリン消費量を入力し、そして、既に入力済みの１００％化学合成によるオイルの内の最適なオイル選択と、永久磁石を使用したオイルエレメント選択との組合せの使用により、今回のエコロジカル車検整備費用の算出と、次回エコロジカル車検整備費用の算出と、そしてその間の期間のガソリン及びオイル交換費用の通常車検整備に比べた節約分と、ＣＯ２排出の削減量が見積もられ、ディスプレー上に表示され印刷可能な様にされた事を特徴とするエコロジカル車検整備システムの提供を図った。【０００６】  次に、第二に知り得た顧客の情報に基づき、事業所側のＰＣにより顧客の車に関する必要最小限の情報、即ち、氏名又は名称、車種・年式、車両重量、車検整備の期日、年間走行距離数、燃費又は年間ガソリン消費量を入力する事により、既に入力済みの１００％化学合成によるオイルの内の最適なオイルが自動的に選択され、そしてそのオイルと永久磁石を使用したオイルエレメント選択との組合せの使用により、今回のエコロジカル車検整備費用の算出と、次回エコロジカル車検整備費用の算出と、比較対象となる通常車検整備費用の表示と、そしてエコロジカル車検整備システムによる今回の車検と次回の車検の間の期間のガソリン及びオイル交換費用の通常車検整備に比べた節約分と、ＣＯ２排出の削減量が見積もられ、ディスプレー上に表示され印刷可能な様にされた事を特徴とするエコロジカル車検整備システムの提供。【０００７】そして、見込み客が、インターネット等の事業所側のホームページの画面に、顧客側のＰＣにより、車検したい車の必要最小限の情報、即ち、車種・年式、車両重量、車検整備の期日、年間走行距離数、燃費又は年間ガソリン消費量を入力する事により、最適な１００％化学合成のオイルが選ばれ、そして永久磁石を使用したオイルエレメントの使用との組合せにより、今回のエコロジカル車検整備費用の算出と、次回エコロジカル車検費整備用の算出と、比較対象となる通常車検整備費用の表示と、そしてエコロジカル車検整備システムによる今回の車検と次回の車検の間の期間のガソリン及びオイル交換費用の通常車検整備に比べた節約分と、ＣＯ２排出の削減量が見積もられ、ディスプレー上に表示され印刷可能な様にされ、そして、見積もられた結果に基づいてエコロジカル車検整備を申し込むか、又は、通常の車検を申込むか、或いは両方とも申し込まない選択が出来、申し込む場合はそのまま氏名、住所等の個人情報を入力、事業所側に送付可能な様にされた事を特徴とするエコロジカル車検整備システムの提供。【０００８】そして更に、本発明の上記三つのエコロジカル車検整備システムの内の少なくとも一つをパッケージソフトウェアとし、国内を各地域毎に分割し、その各々の地域に代理店��設け、前記パッケージソフトウェアを譲渡可能とし、各地域毎に販売店を募集する事によりフランチャイズ展開し、エコロジカル車検整備システムを全国に展開して行くビジネス方法を取り入れる事により、一社では僅かなＣＯ２の排出量の削減も、多くの仲間を集める事により大きなＣＯ２の排出量削減の達成が可能となる。
【発明の効果】
【０００９】  本発明のエコロジカル車検整備システムにより、車を持つ人の、懐具合の節約にも優しく、且つ、ＣＯ２の排出量も少なくなり、自然環境にも優しく、自然環境保護に対する国際的な流れと国の施策にも沿う。そして、車の買い替えの強迫観念に悩まされる事なく安心して運転が出来る事となる。又、ビジネス方法として多くの仲間を集める事によりＣＯ２の排出量削減の量も大きなものとなり環境に優しいシステムを提供できる。
【図面の簡単な説明】
【００１０】
【図１】本発明の実施例１のフロー図
【図２】本発明の実施例１のフロー図
【図３】本発明の実施例２のフロー図
【図４】本発明に使用されるＰＣ用入力フォーム参考図
【図５】本発明に使用されるＰＣ用出力フォーム参考図
【図６】本発明のエコロジカル車検整備システムのビジネス方法の参考図
【発明を実施するための最良の形態】
【００１１】  知り得た顧客の情報に基づき、事業所側のＰＣにより顧客の車に関する必要最小限の情報、即ち、氏名又は名称、車種・年式、車両重量、車検整備の期日、年間走行距離数、燃費又は年間ガソリン消費量を入力する事により、既に入力済みの１００％化学合成によるオイルの内の最適なオイルが自動的に選択され、そしてそのオイルと永久磁石を使用したオイルエレメント選択との組合せの使用により、今回のエコロジカル車検整備費用の算出と、次回エコロジカル車検整備費用の算出と、比較対象となる通常車検整備費用の表示と、そしてエコロジカル車検整備システムによる今回の車検と次回の車検の間の期間のガソリン及びオイル交換費用の通常車検整備に比べた節約分と、ＣＯ２排出の削減量が見積もられ、そして、ディスプレー上に表示され印刷可能な様にされた事を特徴とするエコロジカル車検整備システム、及び前記エコロジカル車検システムの内の少なくとも一つをパッケージソフトウェアとし、国内を各地域毎に分割し、その各々の地域に代理店を設け、前記パッケージソフトウェアを譲渡可能とし、各地域毎に販売店を募集する事によりフランチャイズ展開し、エコロジカル車検整備システムを全国に展開して行く事を特徴とするビジネス方法。
【実施例１】
【００１２】  図１は、本エコロジカル車検整備システムの第一の実施例のフローチャート図であり、この場合は、車検整備希望の顧客が事業所に来られた場合又は、問い合わせ等があった場合であり、知り得た顧客の情報、これは、予め事業所側が持っている顧客に関する情報でも、顧客にその場又は電話等で聞いた情報でも構わない。上記知り得た顧客の情報に基づき、事業所側のＰＣ（コンピューター）により顧客の車に関する必要最小限の情報、即ち、住所、氏名又は名称、車種・年式、車両重量、車検整備の期日、年間走行距離数、燃費又は年間ガソリン消費量を入力する。そして、既に入力済みの１００％化学合成によるオイルのＤＢ（データベース）内の最適なオイルのマニュアルによる選択と、永久磁石を使用したオイルエレメントＤＢ（データベース）の内からのマニュアルによる選択との組合せの使用により、今回のエコロジカル車検費用の算出と、次回エコロジカル車検費用の算出とをディスプレー上に表示させ、そしてその間の期間、即ち今回車検から次回車検までの期間の間のガソリン及びオイル交換費用の、今回通常車検と次回通常車検の期間のガソリン及びオイル交換費用に比べた節約分と、ＣＯ２排出の削減量が見積もられ、そして、ディスプレー上に表示され印刷可能な様にされる。これはその場で表示されても良く、印刷され送付されても、インターネット、モバイル等の手段により顧客側に送付されても良い。勿論、オプションとして、プラグやバッテリー等が付加可能にされても良い。ここで、エコロジカル車検整備システムとは、環境保護に配慮をした自然環境に優しい、ＣＯ２排出を少なくする車検整備システムと言う事である。【００１３】  次に、図２は、本発明のエコロジカル車検整備システムの第一の実施例の変化例図フローチャート図であり、知り得た顧客の情報に基づき、事業所側のＰＣにより顧客の車に関する必要最小限の情報、即ち、住所、氏名又は名称、車種・年式、車両重量、車検整備の期日、年間走行距離数、燃費又は年間ガソリン消費量を入力する事により、既に入力済みの１００％化学合成によるオイルの内の最適なオイルが自動的に選択され、そしてそのオイルと永久磁石を使用したオイルエレメントの自動選択との組合せの使用により、今回のエコロジカル車検費用の算出と、次回エコロジカル車検費用の算出と、比較対象となる通常車検費用の表示と、そしてエコロジカル車検整備システムによる今回の車検と次回の車検の間の期間のガソリン及びオイル交換費用の通常車検に比べた節約分と、ＣＯ２排出の削減量が見積もられ、そして、ディスプレー上に表示され印刷可能な様にされる。そして、ディスプレー上に表示され印刷可能な様にされる。これはその場で表示されても良く、印刷され送付されても、インターネット、モバイル等の手段により顧客側に送付されても良い。
【実施例２】
【００１４】  そして、図３は、本発明のエコロジカル車検整備システムの第二の実施例のフローチャート図であり、この場合は、顧客、又は見込み客が、インターネット等の事業所側のホームページの画面に、顧客側のＰＣ（コンピューター）により、車検したい車の必要最小限の情報、即ち、車種・年式、車両重量、車検整備の期日、年間走行距離数、燃費又は年間ガソリン消費量をインターネット上で入力する事により、最適な１００％化学合成のオイルが選ばれ、そして永久磁石を使用したオイルエレメント選択の使用との組合せにより、今回のエコロジカル車検費用の算出と次回エコロジカル車検費用の算出と、が表示される。比較対象となる今回通常車検費用と次回通常車検の表示と、そしてエコロジカル車検整備システムによる今回の車検と次回の車検の間の期間のガソリン及びオイル交換費用の通常車検に比べた節約分と、ＣＯ２排出の削減量とが見積もられ、そして、ディスプレー上に表示され印刷可能な様にされる。そして、見積もられた結果に基づいてエコロジカル車検整備を申し込むか、又は、通常の車検を申込むか、或いは両方とも申し込まない選択が出来、申し込む場合はそのまま氏名、住所等の個人情報を入力、事業所側に送付可能な様にされる。【００１５】  上記実施例１又は２に於いて、試験例として、１００％化学合成オイルとして、エコマーベラス（オフト株式会社の商標）を使用し、永久磁石を使用したオイルエレメントとして、特許番号３３７８９４２の濾紙を必要としない磁石式オイルエレメント、商品名ペックス（中村幸司氏の商標）を使用して、二年間試験した。その結果車種によってばらつきはあるが、約５〜５０％のガソリンと、オイル費用の節約が見られ、そして、オイルフィルター（濾紙）の交換不要等に伴うＣＯ２削減が見出された。勿論、試験例に使用されたこれらの製品の使用のみに拘るものではない。【００１６】  そして、図４は顧客データの入力フォーム参考図であり、必要最小限の顧客情報、即ち、氏名又は名称（１）、車種（２）、及び年式（３）、車両重量（１４）、車検整備日（５）、年間走行距離（６）、燃費（７）又は年間ガソリン消費量を記入するだけである。そしてこれは、実施例２の場合もほぼ同様なフォームであり、インターネット上で入力且つ送付可能な状態にされる。【００１７】  そして図５が出力側フォームであり、エコロジカル車検整備見積もり費用が、エコロジカル車検診断結果として表示され、出力される。そしてその主たる内容は、今回のエコロジカル車検整備費用（８）と、次回エコロジカル車検整備費用（９）の算出と、そしてエコロジカル車検整備システムによる今回の車検と次回の車検の間の期間のガソリン及びオイル交換費用の通常車検に比べた節約分（１０）と、更にＣＯ２削減量（１１）が表示される。そして、その他内訳の詳細も表示されるがここでは省略する。そして、図５の出力フォームは、事業所側ＰＣで表示するのも、顧客側ＰＣ上にインターネットを介して表示されるのも可能である。【００１８】  又、実施例２の様に顧客側ＰＣからは、提示された内容でエコロジカル車検整備を申し込むのであれば、更に個人情報を入力し、メール等により申し込む事も可能となる。【００１９】図６��、本発明の請求項１〜３項に記載の三つのエコロジカル車検システムの内の少なくとも一つをパッケージソフトウェアとし、先ずエコロジカル車検整備システム本部を設け、次に国内を各地域毎に分割し、その各々の地域に地域別代理店を設け、前記パッケージソフトウェアを譲渡可能とし、各地域毎に地域別代理店により販売店を募集する事によりフランチャイズ展開し、エコロジカル車検整備システムを全国に展開して行く様にしたビジネス方法であり、こうする事により、ＣＯ２の排出量の大幅な削減と、顧客、見込み客、又は消費者にとっての車検費用の節約が期待出来る。
【産業上の利用可能性】
【００２０】  以上の様に、実質車検整備費用も節約出来、又ＣＯ２削減にも国際的に貢献でき、自然環境にも優しい車検整備システム、及びそれを利用したビジネス方法を提供できる。
【符号の説明】
【００２１】１      顧客名入力欄
２      車種名入力欄
３      年式（初年度登録日）入力欄
４      車両重量入力欄
５      車検日入力欄
６      走行距離入力欄
７      燃費入力欄
８      今回のエコロジカル車検整備費用表示欄
９      次回のエコロジカル車検整備費用表示欄
１０    ガソリン・オイル節約費用表示欄
１１    ＣＯ２削減量表示欄
【図１】
2011192249.tif 000003
【図２】
2011192249.tif 000004
【図３】
2011192249.tif 000005
【図４】
2011192249.tif 000006
【図５】
2011192249.tif 000007
【図６】
2011192249.tif 000008